(57)【要約】      （修正有）【課題】境界点の位置を正確に標示でき、壁面の交差する隅部において容易に設置可能で、設置後は標示位置を長期間良好に維持する境界標示板を提供する。【解決手段】一辺を共有し共有辺１０ａを対称軸として直交する２つの四角形である境界標示面１ａ及び境界標示面１ｂを備え、２つの境界標示面１ａ，１ｂは、各々設置面に固定するための固定具を挿通する各長孔１２ａ，１２ｂを有し、共有辺１０ａの端点を境界指示点１１とする。具体的に、一枚の左右対称の板体が対称軸で線対称形に９０°で山形に屈曲し、山側の一面が境界標示面１ａ、山側の他面が境界標示面１ｂとされ、山側の峰部が共有辺１０ａとなり、境界標示面１ａ，１ｂの山側の表面に境界指示点１１が表記される。更に、境界標示面１ａ，１ｂの谷側の裏面に配置され、挿通孔を有する保持体を備え、固定具のビスが長孔と挿通孔に挿通され保持体を介して壁に固定される。【選択図】図１
2020101024.tif 000002
【特許請求の範囲】
【請求項１】
一辺を共有し共有辺を対称軸として直交する２つの四角形である第１の境界標示面及び第２の境界標示面を備え、
第１及び第２の境界標示面は、各々、設置面に固定するための固定具を挿通する各長孔を有し、共有辺の端点又は中点を境界指示点とすることを特徴とする境界標示板。
【請求項２】
前記境界標示板は、一枚の左右対称の板体が対称軸で線対称形に９０°で山形に屈曲し、山側の一面が第１の境界標示面、山側の他面が第２の境界標示面とされ、山側の峰部が前記共有辺となり、
第１及び第２の境界標示面の山側の表面に、前記境界指示点が表記されており、
更に、第１又は第２の境界標示面の谷側の裏面に配置され、挿通孔を有する保持体を備え、
前記固定具が前記長孔と前記挿通孔に挿通され前記保持体を介して設置面に固定されることを特徴とする請求項１に記載の境界標示板。
【請求項３】
第１の境界標示面及び第２の境界標示面に設けられた前記境界指示点を端点に有する前記共有辺の隣接辺は、前記共有辺との交差角が４５〜９０°に形成されていることを特徴とする請求項１又は２に記載の境界標示板。
【請求項４】
第１及び第２の境界標示面の前記長孔は、前記共有辺に並行して延びる長円形状の孔であることを特徴とする請求項１〜３の何れかに記載の境界標示板。
【請求項５】
前記境界指示点は、矢印の矢先として表記されていることを特徴とする請求項１〜４の何れかに記載の境界標示板。
【請求項６】
前記保持体は、方形状で水平面の対面が傾斜面に形成、又は、円形状で直径方向に傾斜面に形成されていることを特徴とする請求項１〜５の何れかに記載の境界標示板。
【発明の詳細な説明】
【技術分野】
【０００１】
本発明は、境界標示板に関し、より詳しくは、壁面に設置して土地の境界点等を標示する境界標示板に関する。
【背景技術】
【０００２】
一般に、境界標示板の設置箇所は地面又は構造物の平面位置に設置することが多い。これは土地の面積は垂直投影面積で表わされるためであり、したがって土地の境界線の端点である境界点は上から下に見下ろして確認するものであるから、境界標示板は一般的には方形の平板状の上面に境界標示をする矢印等を設けて、土地等の平面位置に設置している。
水路等の壁面が境界線であり、かつ境界標を平面部設置することが困難である場合に、従来の境界標示板を壁面に設置すれば、矢印等の境界指示位置を上面から見下ろせば壁面とは標示板の厚み分だけ乖離するので、正確に境界点を標示することはできない。図１４は、従来技術の境界標示板の固設構造を示す図であり、境界指示点１１が境界点ＢＰと境界標示板の厚み分離れていることがわかる。
【０００３】
そこで、壁面を斫り込み、境界標示板を壁面に埋め込んで、境界標示面と壁面とを同一面にする必要が生じる。図１５は、壁面を斫り込み、境界標示板を壁面に埋め込んで設置した状態を示す図であり、境界指示点１１が境界点ＢＰを正確に指示していることがわかる。
すなわち、境界標示板を壁面ＷＳに取り付けるだけでは、正確に境界点ＢＰを指示することはできず、また、正確に境界点ＢＰを指示するとなると、壁面を斫り込む必要が生じ、設置作業が煩雑なものとなるという問題がある。
【０００４】
また、土地の境界点が存在する場所は様々であり、例えば、境界点が壁面に存在する場合でも、壁面の平坦な箇所に存在することもあれば、壁面の交差する隅部や角部に存在することもある。そこで、設置場所が限定されず、幅広い場所に利用可能な境界標示板が望まれている。
設置場所が限定されない境界標示板としては、２枚の板を蝶番状に連結してなり、両板の開く角度を適宜設定して建造物に沿わせて取り付けられるようにした境界標示具が知られている（特許文献１を参照）。図１３は、特許文献１の境界標示具を壁面に設置した状態であり、（１）は正面図、（２）及び（３）は平面図を示している。特許文献１の境界標示具によれば、２枚の板の開く角度を調整することで、図１３（２）に示すように、平坦な壁面に取り付けることもできるし、図１３（３）に示すように、壁の角部に取り付けることも可能である。
しかしながら、図１３（２）又は（３）に示すように、特許文献１の境界標示具では、境界指示点１１である十字の印が、境界点ＢＰからピンの半径分離れており、正確に境界点ＢＰを指示することができないという問題がある。
【０００５】
また、壁面等に境界標示板を設置する場合、設置箇所に打ち込んだ釘等の固定具が抜けやすく、安定的な固定が難しいという問題がある。そこで、板体と筒鋲体と棒体とで構成された標示板が知られている（特許文献２を参照）。上記特許文献２に開示された標示板は、筒鋲体の軸部の下側に拡張可能な分割軸部が備えられ、筒鋲体の内部に棒体が挿入されることにより分割軸部が拡張して壁に食い込み、抜け落ち防止効果を発生させるものであり、安定的な固定を可能とするものである。
しかしながら、上記特許文献２に開示された標示板についても、境界指示点と境界点を一致させることは難しく、境界標示板の厚みの分、境界指示点と境界点が離れてしまうという問題がある。
【先行技術文献】
【特許文献】
【０００６】
【特許文献１】特開２０００−３２８５２６号公報
【特許文献２】特開平７−２１６８３３号公報
【発明の概要】
【発明が解決しようとする課題】
【０００７】
上記の特許文献１に開示された境界標示具は、２枚の板を蝶番状に連結して構成され、両板の開く角度を適宜設定して構造物に沿って取り付けられるようにしたものである。しかしながら、境界点の指示は、蝶番を連結するピン上端部に十字の目印を設けて指示するものであり、境界標示具がピンの半径分だけ壁面と乖離するために、正確に境界点を標示できないという問題があった。
また、上記の特許文献２に開示された標示板は、板体と筒鋲体と棒体とで構成され、固定性と作業性の向上を目的としているものである。しかしながら、標示板を壁面に設置すれば境界標示板の板厚分だけ、境界指示点が壁面と乖離するために、図１４に示す従来技術の境界標示板と同様に、正確に境界点を標示することができないという問題があった。
【０００８】
かかる状況に鑑みて、本発明は、境界点の位置を正確に標示することができ、壁面の交差する隅部においても容易に設置可能であり、設置後は標示位置を長期間良好に維持することができる境界標示板を提供することを目的とする。
【課題を解決するための手段】
【０００９】
上記課題を解決すべく、本発明の境界標示板は、一辺を共有し共有辺を対称軸として直交する２つの四角形である第１の境界標示面及び第２の境界標示面を備え、第１及び第２の境界標示面は、各々、設置面に固定するための固定具を挿通する各長孔を有し、共有辺の端点又は中点を境界指示点とする。
かかる構成によれば、境界点の位置を正確に標示することができ、壁面の交差する隅部においても容易に設置可能であり、設置後は標示位置を長期間良好に維持することができる。
【００１０】
具体的に、本発明の境界標示板は、一枚の左右対称の板体が対称軸で線対称形に９０°で山形に屈曲し、山側の一面が第１の境界標示面、山側の他面が第２の境界標示面とされ、山側の峰部が共有辺となり、第１及び第２の境界標示面の山側の表面に、境界指示点が表記されており、更に、第１又は第２の境界標示面の谷側の裏面に配置され、挿通孔を有する保持体を備え、固定具が長孔と挿通孔に挿通され保持体を介して設置面に固定される。
【００１１】
ここで、本発明の境界標示板において、第１の境界標示面及び第２の境界標示面に設けられた境界指示点を端点に有する共有辺の隣接辺は、共有辺との交差角が４５〜９０°に形成されることが好ましい。
隣接する２つの壁面の交差角が４５〜９０°の状態においても、交差する隅部において容易に設置することが可能である。
【００１２】
また、本発明の境界標示板において、第１及び第２の境界標示面の長孔は、共有辺に並行して延びる長円形状の孔であることが好ましい。
上述の固定具、より正確には固定具のビスが、境界標示板の長孔と保持体の挿通孔とに挿通されて、境界標示板が保持体を介して設置面に固定される。境界標示板の位置、すなわち、境界指示点の位置の微調整を可能とするために、境界標示面の長孔は共有辺に並行して延びる長円形状の孔になっている。
【００１３】
本発明の境界標示板において、境界指示点は、矢印の矢先として表記されていることが好ましい。視認性を高める。なお、境界指示点は、矢印の矢先で表記される他、二等辺三角形の頂点など様々な表記が可能である。
【００１４】
本発明の境界標示板において、保持体は、方形状で水平面の対面が傾斜面に形成、又は、円形状で直径方向に傾斜面に形成されていることが好ましい。
設置面の壁面に対して垂直方向にアンカー穴を穿孔できない隅部などの場合に、設置面の壁面に対して斜め方向に穿孔されたアンカー穴にアンカーが埋入され、固定具のビスが境界標示板本体の長孔と保持体の挿通孔に挿通され、アンカーと固着して境界標示板が設置面に固定される。その場合に、固定具は境界標示板の境界標示面に垂直方向から当接するのではなく、斜め方向から当接するため、固定具の締め付け力が十分でないといった問題がある。そこで、境界標示板本体に、方形状で水平面の対面が傾斜面に形成、又は、円形状で直径方向に傾斜面に形成させ、境界標示板の面に適切な傾斜面を有する保持体を重ね合わせた場合に、固定具の挿通方向と保持体の法線方向がほぼ同じになるようにする。これにより固定具の締め付け力が高まり、境界標示板を設置面に確実に固定することができる。
【発明の効果】
【００１５】
本発明によれば、壁面に設置して境界点の位置を正確に標示することができ、壁面の交差する隅部においても容易に設置可能であり、設置後は標示位置を長期間良好に維持することができるといった効果がある。
【図面の簡単な説明】
【００１６】
【図１】本発明の一実施形態に係る境界標示板の斜視図
【図２】境界標示板の展開図
【図３】境界標示板を右側標示で壁面に設置した平面図
【図４】境界標示板を左側標示で壁面に設置した平面図
【図５】境界標示板を左側標示で壁面に設置した正面図
【図６】境界標示板を左側標示で壁面に設置した左側面図
【図７】境界標示板を左側標示で壁面が交差する隅部に設置した平面図
【図８】本発明の他の実施形態に係る境界標示板の展開図
【図９】本発明の他の実施形態に係る境界標示板の平面図
【図１０】壁面が交差する隅部にアンカー穴を穿孔する時に伴う問題点の説明図
【図１１】側溝の壁面に設置された境界標示板のイメージ図
【図１２】ブロック塀の壁面に設置された境界標示板のイメージ図
【図１３】特許文献１に開示された境界標示具の説明図
【図１４】従来技術の境界標示板を壁面に設置した状態を示す図
【図１５】従来技術の境界標示板を、壁面を斫り込み設置した状態を示す図
【発明を実施するための最良の形態】
【００１７】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１８】
図１は、本発明の一実施形態に係る境界標示板の正面斜め上方から見た斜視図であり、図２は、図１に示す境界標示板の正面展開図である。
図１及び図２に示すように、境界標示板本体１は、台形の境界標示面１ａと台形の境界標示面１ｂとが、それぞれの底辺を共有辺１０ａとし、共有辺１０ａを境界として９０°の角度に折れた形状を呈している。図２の展開図に示す左右対象（“境界”の表記文字を除く）の五角形の一枚の金属板体が対称軸で線対称に９０°に山形に折れて、境界標示板本体１が形成され、山側の台形一面が境界標示面１ａとなり、他の台形一面が境界標示面１ｂとなり、山側の峰部が共有辺１０ａとなる。すなわち、境界標示板本体１は、一辺を共有し共有辺１０ａを対称軸として直交する２つの台形である第１の境界標示面の境界標示面１ａ、及び、第２の境界標示面の境界標示面１ｂを備えている。
【００１９】
境界標示面１ａと境界標示面１ｂには、それぞれ、共有辺１０ａに並行して延びる長円形状の長孔であって、境界標示面１ａからその裏面１３ａに貫通する取付孔１２ａと、同じく、境界標示面１ｂからその裏面１３ｂに貫通する取付孔１２ｂとが設けられている。取付孔１２ａ又は取付孔１２ｂには、図示しないビス（固定具）を挿通し、第１又は第２の境界標示面を目的とする壁面などの設置面に固定する。
図１及び図２に示すように、境界標示面１ａと境界標示面１ｂは、各々、共有辺１０ａの２つの端点の内、共有辺１０ａと斜めに交差する隣接辺１０ｂと１０ｃとの交点である端点を境界指示点１１とし、その境界指示点１１を示すように矢印１１ａの矢先、及び、矢印１１ｂの矢先が境界標示面（１ａ，１ｂ）に描かれている。なお、後述するが、境界指示点１１は、共有辺１０ａの中点に設定し、中点の境界指示点を示すように矢印１１ａの矢先、及び、矢印１１ｂの矢先が境界標示面（１ａ，１ｂ）に描かれても良い。
【００２０】
図３は、図１に示した境界標示板本体１の境界標示面１ｂの境界指示点１１（矢印１１ｂの矢先）が、壁Ｗに対して右側にある境界点を指示するように、境界標示板本体１を壁面ＷＳ（設置面）に設置した状態を示す平面図である。図３に示す設置状態の場合、境界標示板本体１の境界標示面１ａの表面は壁面ＷＳに当接している。図３に示す場合、固定具３０の軸方向が、壁面ＷＳに対して垂直方向ではなく斜め方向になっており、固定具３０のビス３０ａと境界標示面１ａの裏面との間に隙間が生じるが、この隙間に、傾斜面を有し固定具３０のビス３０ａを挿通する挿通孔２０ａを備える保持体２０を挿入することによって、境界標示板本体１が固定具３０を回転軸として回転することを防いでいる。
【００２１】
図４は、図３の状態の逆のケースであり、図１に示した境界標示板本体１の境界標示面１ａの境界指示点１１（矢印１１ａの矢先）が、壁Ｗに対して左側にある境界点を指示するように、境界標示板本体１を壁面ＷＳ（設置面）に設置した状態を示す平面図である。図４に示す設置状態の場合、境界標示板本体１の境界標示面１ｂの表面は壁面ＷＳに当接している。図４に示す場合、固定具３０の軸方向が、壁面ＷＳに対して垂直方向ではなく斜め方向になっており、固定具３０のビス３０ａと境界標示面１ｂの裏面との間に隙間が生じるが、この隙間に、傾斜面を有し固定具３０のビス３０ａを挿通する挿通孔２０ａを備える保持体２０を挿入することによって、境界標示板本体１が固定具３０のビス３０ａを回転軸として回転することを防いでいる。
【００２２】
図５は、境界標示板本体１を左側標示で壁面ＷＳに設置した図であり、図４の状態における正面図である。また、図６は、図４の状態における左側面図である。図５に示すように、保持体は角部が丸まった正方形状であり、左側の厚みが右側の厚みより大きく傾斜面を有し、さらに固定具３０のビス３０ａを挿通する挿通孔２０ａを備えている。
図４〜６に示すように、固定具３０のビス３０ａは、境界標示板に設けられた取付孔１２ｂと、保持体２０に設けられた挿通孔２０ａを介して、壁Ｗに形成された下穴４０に打ち込まれたアンカー３０ｂと嵌合又は螺合し、境界標示板を壁Ｗに固定する。
【００２３】
ここで、本発明の境界標示板を、壁面が交差する隅部に設置するために、予め振動ドリルでアンカー用の下穴を穿孔する際に、図１０（１）に示すように、隅部の近傍に下穴を穿孔する場合には、ドリル本体が壁面に接触してしまい作業が困難になる。その場合に、図１０（２）に示すように、下穴の穿孔の長手方向を壁面に垂直ではなく斜めにすることにより作業をスムーズに行える。このように、固定具３０の軸方向が、壁面ＷＳに対して垂直方向ではなく斜め方向になるケースがある。
【００２４】
図７は、境界標示板本体１を左側標示で壁面が交差する隅部に設置した様子を示している。境界標示板本体１の境界標示面１ａが台形であり、境界指示点１１が描かれた境界標示面１ａの共有辺１０ａとその隣接辺１０ｂとの交差角が約７０°（４５〜９０°の範囲）に形成されていることにより、境界標示板を交差する壁面の隅部において、境界指示点１１が正確に境界点ＢＰを指示することができることがわかる。
【００２５】
本発明の境界標示板は、図１１に示すように、雨水５１等が流れる側溝５０の側壁に取付け、土地の境界点を正確に指示でき、境界標示板本体１の姿勢を固定具３０に対して安定に保持できるため、設置後は境界指示点１１の位置を長期間良好に維持することができる。
また、境界標を用いる現場で数多くある事例として、境界点となる壁面の隣接が地面であることが多くあり、電力会社や鉄道会社等の会社では土地管理を担当する部署があり、図１２（２）に示すように、地面にコンクリート製境界標示杭７０を設置する。境界標示杭７０の大きさは７〜１０ｃｍ角の長さ５０〜７０ｃｍのものが主流である。境界標示杭７０を埋設する場合、最低５０ｃｍ角で４０〜６０ｃｍの地面を掘削し、境界標示杭７０を埋設後に根巻きコンクリート７１を打設する。このため作業が煩雑でかなりのコストがかかる。このため、一般の会社や個人が管理する土地の場合には、隣接地の壁面に境界標を貼り付けるのが一般的である。本発明の境界標示板は、図１２（１）に示すように、一般の会社や個人が管理する土地において、隣接地との境界のブロック塀６１の土台のコンクリート壁の壁面に境界標示板本体１を固定具３０で取付けて、境界指示点１１を正確な位置に指示させることができる。
【００２６】
（その他の実施例）
（１）図８（１）、（２）に示すように、実施例１の境界標示板において、境界標示面１ａ又は境界標示面１ｂの何れかに、境界指示点１１が描かれることでもよい。
（２）図９に示すように、境界標示板本体１が矩形の境界標示面（１ａ，１ｂ）で構成され、境界標示面１ｂのみに取付孔１２ｂが設けられ、境界指示点１１は、共有辺１０ａの中点に設定し、中点の境界指示点を示すように矢印２１の矢先が境界標示面１ａに描かれても良い。
【産業上の利用可能性】
【００２７】
本発明は、土地の境界線を定める境界標示板として利用できる。
【符号の説明】
【００２８】
１      境界標示板本体
１ａ，１ｂ  境界標示面
１０ａ  共有辺
１０ｂ，１０ｃ  隣接辺
１１    境界指示点
１１ａ，１１ｂ，２１  矢印
１２ａ，１２ｂ  取付孔
１３ａ，１３ｂ  裏面
２０    保持体
２０ａ  挿通孔
３０    固定具
３０ａ  ビス
３０ｂ  アンカー
４０    下穴
５０    側溝
５１    雨水
６０    コンクリート壁
６１    ブロック塀
７０    コンクリート製境界標示杭
７１    根巻きコンクリート
ＢＰ    境界点
Ｗ      壁
ＷＳ    壁面
【図１】
2020101024.tif 000003
【図２】
2020101024.tif 000004
【図３】
2020101024.tif 000005
【図４】
2020101024.tif 000006
【図５】
2020101024.tif 000007
【図６】
2020101024.tif 000008
【図７】
2020101024.tif 000009
【図８】
2020101024.tif 000010
【図９】
2020101024.tif 000011
【図１０】
2020101024.tif 000012
【図１１】
2020101024.tif 000013
【図１２】
2020101024.tif 000014
【図１３】
2020101024.tif 000015
【図１４】
2020101024.tif 000016
【図１５】
2020101024.tif 000017